(57)【要約】      （修正有）【課題】記録媒体の全体に断片化された領域が分散することを抑制することによって、コンテンツデータの記録および読出しの速度が遅くなることを抑制することが可能な記録再生装置を提供する。【解決手段】記録再生装置１は、コンテンツデータが記録される内周領域２１７ａおよび外周領域３１７ａを含むプラッタ１７ａに対して記録を行うヘッド１７ｃと、削除される可能性の高いと予め判断されたコンテンツデータを内周領域２１７ａに記録させる一方、削除される可能性の低いと予め判断されたコンテンツデータを外周領域３１７ａに記録させるようにヘッド１７ｃを制御する制御部１０とを備える。【選択図】図１
2013242943.tif 000002
【特許請求の範囲】
【請求項１】
コンテンツデータが記録される第１記録領域および第２記録領域を含む記録媒体に対して記録を行う記録部と、
削除される可能性の高いと予め判断されたコンテンツデータを前記第１記録領域に記録させる一方、削除される可能性の低いと予め判断されたコンテンツデータを前記第２記録領域に記録させるように前記記録部を制御する制御部とを備える、記録再生装置。
【請求項２】
前記記録部は、前記記録媒体に対して相対的に移動可能に構成されており、
前記第１記録領域は、前記記録部の記録時の初期位置から所定の移動距離だけ離れた位置に配置されているとともに、前記第２記録領域は、前記記録部の前記記録時の初期位置から前記所定の移動距離よりも小さな移動距離だけ離れた位置に配置されている、請求項１に記載の記録再生装置。
【請求項３】
前記記録媒体は、ディスク状に形成されており、
前記第１記録領域または前記第２記録領域のいずれか一方は、前記ディスク状の記録媒体の内周領域であり、前記第１記録領域または前記第２記録領域のいずれか他方は、前記ディスク状の記録媒体の外周領域である、請求項１または２に記載の記録再生装置。
【請求項４】
前記記録部は、ハードディスクドライブのヘッドであるとともに、前記ディスク状の記録媒体は、前記ハードディスクドライブのプラッタであり、
前記第１記録領域は前記プラッタの内周領域に設けられているとともに、前記第２記録領域は前記プラッタの外周領域に設けられている、請求項３に記載の記録再生装置。
【請求項５】
前記内周領域と前記外周領域とは、記録容量に基づいて分割されている、請求項３または４に記載の記録再生装置。
【請求項６】
前記制御部は、前記記録部に前記コンテンツデータを記録させる前に、前記コンテンツデータの内容に基づいて、前記コンテンツデータが削除される可能性の高いデータであるか、または、削除される可能性の低いデータであるかを予め判別するように構成されている、請求項１〜５のいずれか１項に記載の記録再生装置。
【請求項７】
前記コンテンツデータは、テレビジョン放送の前記コンテンツデータであり、
前記制御部は、前記コンテンツデータが前記テレビジョン放送のうちの広告に関する前記コンテンツデータである場合には、前記コンテンツデータを削除される可能性の高いデータであると予め判別するように構成されている、請求項６に記載の記録再生装置。
【請求項８】
前記コンテンツデータは、テレビジョン放送の前記コンテンツデータであり、
前記制御部は、前記コンテンツデータの記録が一定期間ごとに更新されるような予約録画モードに設定されている場合には、前記コンテンツデータを削除される可能性の高いデータであると予め判別するように構成されている、請求項６または７に記載の記録再生装置。
【請求項９】
前記コンテンツデータが削除される可能性の高いデータであるか、または、削除される可能性の低いデータであるかが予めユーザによって判別されて指定され、
前記制御部は、削除される可能性の高いデータであると指定されたコンテンツデータを前記第１記録領域に記録させる一方、削除される可能性の低いデータであると指定されたコンテンツデータを前記第２記録領域に記録させるように前記記録部を制御するように構成されている、請求項１〜８のいずれか１項に記載の記録再生装置。
【発明の詳細な説明】
【技術分野】
【０００１】
この発明は、記録再生装置に関し、特に、記録媒体に対して記録を行う記録部を備える記録再生装置に関する。
【背景技術】
【０００２】
従来、記録媒体に対して記録を行う記録部を備える記録再生装置が知られている（たとえば、特許文献１参照）。
【０００３】
上記特許文献１には、光ディスクに対して記録を行う光ディスクドライブと、光ディスクドライブを制御するＣＰＵとを備える情報処理装置が開示されている。この情報処理装置では、ＣＰＵは、光ディスクに記録するデータの優先順位をデータへのアクセスの頻度やデータの日付またはサイズなどに基づいて決定する。そして、ＣＰＵは、決定した優先順位に基づいて、データを光ディスクの最外周から内側に向かって記録するように光ディスクドライブを制御するように構成されている。
【先行技術文献】
【特許文献】
【０００４】
【特許文献１】特開２００８−６５９０８号公報
【発明の概要】
【発明が解決しようとする課題】
【０００５】
しかしながら、上記特許文献１に記載の情報処理装置では、決定した優先順位に基づいてデータを光ディスクに記録した後に、光ディスクのデータの一部を削除して再度別なデータを光ディスクに記録するという一連の操作が繰り返された場合には、データが記録されている領域とデータが記録されていない領域とが、各々小さな領域に断片化された状態で光ディスクの全体に分散してしまう。このため、光ディスクドライブは、光ディスクの全体に分散した断片化された領域に対して記録および読出しを行う必要があるため、光ディスクドライブが断片化された領域から次の断片化された領域に到達する時間が長くなる。この結果、データの記録および読出しの速度が遅くなるという問題点がある。
【０００６】
この発明は、上記のような課題を解決するためになされたものであり、この発明の１つの目的は、記録媒体の全体に断片化された領域が分散することを抑制することによって、コンテンツデータの記録および読出しの速度が遅くなることを抑制することが可能な記録再生装置を提供することである。
【課題を解決するための手段】
【０００７】
この発明の一の局面による記録再生装置は、コンテンツデータが記録される第１記録領域および第２記録領域を含む記録媒体に対して記録を行う記録部と、削除される可能性の高いと予め判断されたコンテンツデータを第１記録領域に記録させる一方、削除される可能性の低いと予め判断されたコンテンツデータを第２記録領域に記録させるように記録部を制御する制御部とを備える。
【０００８】
この一の局面による記録再生装置では、上記のように、削除される可能性の高いと予め判断されたコンテンツデータを第１記録領域に記録させる一方、削除される可能性の低いと予め判断されたコンテンツデータを第２記録領域に記録させるように記録部を制御する制御部を設けることによって、コンテンツデータの記録および削除が繰り返された場合であっても、第２記録領域ではコンテンツデータが削除される可能性は低いので、第２記録領域に断片化された領域が形成されることを抑制することができる。これにより、記録媒体の全体に断片化された領域が分散することを抑制することができるので、記録部が断片化された領域から次の断片化された領域に到達する時間を短くすることができる。この結果、コンテンツデータの記録および読出しの速度が遅くなることを抑制することができる。
【０００９】
上記一の局面による記録再生装置において、好ましくは、記録部は、記録媒体に対して相対的に移動可能に構成されており、第１記録領域は、記録部の記録時の初期位置から所定の移動距離だけ離れた位置に配置されているとともに、第２記録領域は、記録部の記録時の初期位置から所定の移動距離よりも小さな移動距離だけ離れた位置に配置されている。このように構成すれば、記録部は記録時の初期位置から第２記録領域に迅速に到達することができるので、第２記録領域において、削除される可能性の低いコンテンツデータの記録および読出しの速度を向上させることができる。
【００１０】
上記一の局面による記録再生装置において、好ましくは、記録媒体は、ディスク状に形成されており、第１記録領域または第２記録領域のいずれか一方は、ディスク状の記録媒体の内周領域であり、第１記録領域または第２記録領域のいずれか他方は、ディスク状の記録媒体の外周領域である。このように構成すれば、コンテンツデータは内周領域または外周領域のいずれか一方に記録されるので、コンテンツデータの記録および読出しの際に、記録部を内周領域と外周領域とに行き来させる必要がない。これにより、記録部が断片化された領域から次の断片化された領域に到達する時間をさらに短くすることができるので、コンテンツデータの記録および読出しの速度を向上させることができる。
【００１１】
この場合、好ましくは、記録部は、ハードディスクドライブのヘッドであるとともに、ディスク状の記録媒体は、ハードディスクドライブのプラッタであり、第１記録領域はプラッタの内周領域に設けられているとともに、第２記録領域はプラッタの外周領域に設けられている。このように構成すれば、ハードディスクドライブではヘッドはプラッタの最外周から内側に向かって移動するように記録および読出しが行われるので、ヘッドを第２記録領域を構成するプラッタの外周領域に迅速に到達させることができる。また、ヘッドを内周領域と外周領域とに行き来させる必要がないので、ヘッドが断片化された領域から次の断片化された領域に到達する時間をさらに短くすることができる。これにより、外周領域において、削除される可能性の低いコンテンツデータの記録および読出しの速度をより向上させることができる。
【００１２】
上記内周領域および外周領域を有する記録再生装置において、好ましくは、内周領域と外周領域とは、記録容量に基づいて分割されている。このように構成すれば、内周領域の記録容量と外周領域の記録容量とを適切な比率にすることにより、内周領域の記録容量の不足に起因して削除される可能性の高いコンテンツデータを第１記録領域に記録することができなくなることを抑制することができる。また、外周領域の記録容量の不足に起因して削除される可能性の低いコンテンツデータを第２記録領域に記録することができなくなることを抑制することができる。
【００１３】
上記一の局面による記録再生装置において、好ましくは、制御部は、記録部にコンテンツデータを記録させる前に、コンテンツデータの内容に基づいて、コンテンツデータを削除される可能性の高いデータであるか、または、削除される可能性の低いデータであるかを予め判別するように構成されている。このように構成すれば、制御部によりコンテンツデータは削除される可能性の高いデータであるか、または、削除される可能性の低いデータであるかが予め自動的に判別されるので、ユーザが判別作業を行う必要がない。これにより、ユーザの操作負担を軽減することができる。
【００１４】
この場合、好ましくは、コンテンツデータは、テレビジョン放送のコンテンツデータであり、制御部は、コンテンツデータがテレビジョン放送のうちの広告に関するコンテンツデータである場合には、コンテンツデータを削除される可能性の高いデータであると予め判別する制御を行うように構成されている。このように構成すれば、制御部により広告に関するコンテンツデータが削除される可能性の高いデータであると自動的に判別されるので、ユーザが判別作業を行う必要がない。これによっても、ユーザの操作負担を軽減することができる。
【００１５】
上記制御部が予め判断する記録再生装置において、好ましくは、コンテンツデータは、テレビジョン放送のコンテンツデータであり、制御部は、コンテンツデータの記録が一定期間ごとに更新されるような予約録画モードに設定されている場合には、コンテンツデータを削除される可能性の高いデータであると予め判別するように構成されている。このように構成すれば、制御部によりコンテンツデータの記録が一定期間ごとに更新されるような予約録画モードに設定されているコンテンツデータが削除される可能性の高いデータであると自動的に判別されるので、ユーザが判別作業を行う必要がない。これにより、ユーザの操作負担を軽減することができる。
【００１６】
上記一の局面による記録再生装置において、好ましくは、コンテンツデータが削除される可能性の高いデータであるか、または、削除される可能性の低いデータであるかが予めユーザによって判別されて指定され、制御部は、削除される可能性の高いデータであると指定されたコンテンツデータを第１記録領域に記録させる一方、削除される可能性の低いデータであると指定されたコンテンツデータを第２記録領域に記録させるように記録部を制御するように構成されている。このように構成すれば、ユーザの判別結果に合わせて、削除される可能性の高いと予め指定されたコンテンツデータを第１記録領域に記録し、削除される可能性の低いと予め指定されたコンテンツデータを第２記録領域に記録することができるので、ユーザにより削除される可能性が低いと判断されたコンテンツデータが記録された第２記録領域に断片化された領域が形成されることをより抑制することができる。これにより、ユーザにより削除される可能性が低いと判断されたコンテンツデータが記録された第２記録領域において、コンテンツデータの記録および読出しの速度をより向上させることができる。
【図面の簡単な説明】
【００１７】
【図１】本発明の一実施形態によるＡＶシステムの構成を示したブロック図である。
【図２】本発明の一実施形態によるＡＶシステムにおいて、ユーザがテレビジョン放送の番組を録画予約する際に表示される録画予約画面を示した図である。
【図３】本発明の一実施形態によるＡＶシステムにおいて、ユーザがテレビジョン放送の毎週同一時間帯に放送される番組を録画予約する際に表示される録画予約画面を示した図である。
【図４】本発明の一実施形態によるＡＶシステムにおいて、プラッタでのコンテンツデータの記録状態を模式的に示した図である。
【図５】本発明の一実施形態によるＡＶシステムにおいて、記録再生装置における記録時の制御処理フローを示した図である。
【発明を実施するための形態】
【００１８】
以下、本発明の実施形態を図面に基づいて説明する。
【００１９】
まず、図１〜図４を参照して、本発明の一実施形態によるＡＶシステム１００の構造について説明する。
【００２０】
本発明の一実施形態によるＡＶシステム１００は、図１に示すように、記録再生装置１とテレビジョン装置２とを備えている。記録再生装置１とテレビジョン装置２とは、ＨＤＭＩケーブル３によって互いに接続されている。
【００２１】
記録再生装置１は、制御部１０と、ＲＡＭ１１と、ＲＯＭ１２と、ＨＤＭＩトランスミッタ１３と、操作部１４と、光学部１５とを備えている。制御部１０はＣＰＵからなり、制御プログラムを実行することにより記録再生装置１全体の動作制御を行うように構成されている。ＲＡＭ１１は、書き換え可能な揮発性の半導体メモリであり、ＲＯＭ１２は、書き換え不可能な不揮発性の半導体メモリである。ＨＤＭＩトランスミッタ１３は、テレビジョン装置２とテレビジョン放送のコンテンツに関する映像データおよび音声データ（コンテンツデータ）の送受信などを行うために設けられている。操作部１４は、図示しないリモコンなどから構成されており、ユーザの記録再生装置１に対する操作を受け付ける機能を有している。光学部１５は、図示しない光学ディスクにコンテンツデータを記録（録画および録音）する機能と、記録されたコンテンツデータを読出す機能と、記録されたコンテンツデータを削除する機能とを有している。
【００２２】
また、記録再生装置１は、テレビジョン放送受信部１６と、ＨＤＤ１７とをさらに備えている。テレビジョン放送受信部１６は、図示しない放送局が放送しているテレビジョン放送のコンテンツデータを受信可能に構成されている。ここで、テレビジョン放送の一部のコンテンツデータは、本編部分に関する本編コンテンツデータと、本編部分とは異なる広告部分に関する広告コンテンツデータとを含んでいる。なお、本編部分とは、テレビジョン放送の番組に対応する部分を意味し、広告部分とは、本編部分に挿入される番組スポンサーなどによる広告に対応する部分を意味する。また、制御部１０は、本編コンテンツデータと広告コンテンツデータとを、音量の違いや画像の大きさなどに基づいて判別可能に構成されている。なお、ＨＤＤ１７に関しては後述する。
【００２３】
テレビジョン装置２は、制御部２０と、ＨＤＭＩトランスミッタ２１と、表示部２２と、音声出力部２３とを備えている。制御部２０はＣＰＵからなり、制御プログラムを実行することによりテレビジョン装置２全体の動作制御を行うように構成されている。ＨＤＭＩトランスミッタ２１は、記録再生装置１とコンテンツデータの送受信などを行うために設けられている。表示部２２は、記録再生装置１から受信したコンテンツデータの映像を表示する機能を有している。音声出力部２３は、記録再生装置１から受信したコンテンツデータの音声を出力する機能を有している。
【００２４】
また、記録再生装置１の制御部１０は、制御プログラムに基づいてテレビジョン放送のコンテンツデータの記録を行うことを予め設定する（録画予約する）ことが可能に構成されている。具体的には、制御部１０は、図２および図３に示すように、コンテンツデータを録画予約するための予約画面２２ａおよび２２ｂをテレビジョン装置２の表示部２２に表示させるように構成されている。これら予約画面２２ａおよび２２ｂは、ユーザがＥＰＧによる番組表（図示せず）から録画予約するテレビジョン放送の番組を選択することなどによって表示されるように構成されている。
【００２５】
図２に示す予約画面２２ａは、所定の時間に放送される番組のコンテンツデータを録画予約する場合に表示される画面である。また、図３に示す予約画面２２ｂは、毎週同一時間帯に放送される番組のコンテンツデータを録画予約する場合に表示される画面である。予約画面２２ａおよび２２ｂでは、放送される日時、チャンネル番号および番組名（タイトル）が表示されることによって、予約対象のコンテンツデータが特定されている。
【００２６】
また、図２に示す予約画面２２ａには、コンテンツデータが削除する可能性が高いデータであるか、または、削除する可能性が高いデータであるかをユーザが選択するための「高い」ボタン２２ｃおよび「低い」ボタン２２ｄと、ユーザが録画予約を決定するためのＯＫボタン２２ｅとが表示されている。これらの「高い」ボタン２２ｃ、「低い」ボタン２２ｄおよびＯＫボタン２２ｅは、ユーザが操作部１４（図１参照）を操作することによって、選択可能に構成されている。そして、「高い」ボタン２２ｃがユーザに選択された状態でＯＫボタン２２ｅが選択されることによって、コンテンツデータが削除される可能性の高いデータであると判別されて指定されるように構成されている。また、「低い」ボタン２２ｄがユーザに選択された状態でＯＫボタン２２ｅが選択されることによって、コンテンツデータが削除される可能性の低いデータであると判別されて指定されるように構成されている。
【００２７】
また、毎週同一時間帯に放送される番組のコンテンツデータは、先週のコンテンツデータが削除されて今週のコンテンツデータが新たに記録されるような一定期間ごとに更新される予約録画モードに設定されるように構成されている。この毎週同一時間帯に放送される番組のコンテンツデータは、制御部１０により削除される可能性の高いデータであると自動的に判断されるように構成されている。なお、図３に示すように、予約画面２２ｂには、図２に示す「高い」ボタン２２ｃおよび「低い」ボタン２２ｄは表示されていない。
【００２８】
また、コンテンツデータが本編コンテンツデータと広告コンテンツデータとを有している場合、広告コンテンツデータは、制御部１０により本編コンテンツデータが削除される可能性の低いデータであると判断された場合であっても、削除される可能性の高いデータであると自動的に判断されるように構成されている。
【００２９】
ＨＤＤ１７は、図４に示すように、ディスク状のプラッタ１７ａと、プラッタ１７ａを所定の回転数で回転させる回転駆動部１７ｂと、電磁石からなるヘッド１７ｃと、ヘッド１７ｃが先端に取り付けられたアーム部１７ｄとを含んでいる。なお、プラッタ１７ａおよびヘッド１７ｃは、それぞれ、本発明の「記録媒体」および「記録部」の一例である。
【００３０】
ヘッド１７ｃは、コンテンツデータを磁気情報としてプラッタ１７ａに記録する機能と、プラッタ１７ａに記録された磁気情報を消去する機能と、プラッタ１７ａに記録された磁気情報からコンテンツデータを読み出す機能とを有している。また、ヘッド１７ｃは、アーム部１７ｄにより、回転するプラッタ１７ａ上を移動するように構成されている。これにより、ヘッド１７ｃは、プラッタ１７ａ上の所定の位置に到達可能に構成されている。
【００３１】
また、ＨＤＤ１７では、プラッタ１７ａの最外周から内側に向かって記録、消去および読出しが行われるように構成されている。つまり、ヘッド１７ｃは、図４に示すように、初期位置（記録、消去および読出しを始める時点での位置）において、プラッタ１７ａの外縁部近傍に配置されている。
【００３２】
プラッタ１７ａは、同心円状に形成された境界部１１７ａを境に、内側の内周領域２１７ａと外側の外周領域３１７ａとに分割されている。この内周領域２１７ａと外周領域３１７ａとは、削除される可能性の高いコンテンツデータの総容量と削除される可能性の低いコンテンツデータの総容量との比率に対応するように、記録容量の比率に基づいて分割されている。具体的には、内周領域２１７ａと外周領域３１７ａとは、略同一の記録容量（記録容量の比率＝１：１）になるように分割されている。また、外周領域３１７ａは、内周領域２１７ａよりも、ヘッド１７ｃの初期位置に近い位置に設けられている。なお、内周領域２１７ａおよび外周領域３１７ａは、それぞれ、本発明の「第１記録領域」および「第２記録領域」の一例である。
【００３３】
ここで、本実施形態では、制御部１０によって、削除される可能性の高いデータであると判断されたコンテンツデータと広告コンテンツデータとは、プラッタ１７ａの内周領域２１７ａに記録される一方、削除される可能性の低いデータであると判断されたコンテンツデータおよび本編コンテンツデータは、プラッタ１７ａの外周領域３１７ａに記録されるように構成されている。つまり、削除される可能性の高いデータであると判断されたコンテンツデータ４ａおよび４ｂ（太いハッチング部分）と、広告コンテンツデータ１０４ｃ（細いハッチング部分）とは、内周領域２１７ａに記録されている。この内周領域２１７ａでは、コンテンツデータを内周領域２１７ａに記録した後に、内周領域２１７ａのコンテンツデータの一部を削除して再度別なコンテンツデータを内周領域２１７ａに記録するという一連の操作が繰り返されやすいため、コンテンツデータが記録されている領域とコンテンツデータが記録されていない領域とが、小さな領域に断片化された状態で内周領域２１７ａに分散しやすい。この結果、内周領域２１７ａに記録されるコンテンツデータ４ａおよび４ｂと、広告コンテンツデータ１０４ｃとは、図４に示すように、断片化された領域に分散して記録されやすい。
【００３４】
一方、削除される可能性の低いデータであるとユーザにより指定された本編コンテンツデータ２０４ｃ、コンテンツデータ４ｄおよび４ｅ（細いハッチング部分）は、外周領域３１７ａに記録されている。この外周領域３１７ａではコンテンツデータの削除が行われる可能性が低いので、外周領域３１７ａに断片化された領域が形成されることが抑制される。この結果、外周領域３１７ａに記録される本編コンテンツデータ２０４ｃ、コンテンツデータ４ｄおよび４ｅは、図４に示すように、断片化されずに連続的に記録されやすい。
【００３５】
次に、図１〜図５を参照して、コンテンツデータを記録（録画）する際の記録再生装置１の制御部１０の制御処理フローについて説明する。
【００３６】
まず、図５に示すように、制御部１０（図１参照）により、ステップＳ１において、予約画面２２ａまたは２２ｂ（図２および図３参照）において、ユーザにより録画予約されたテレビジョン放送の番組の放送時間になったことにより、コンテンツデータの記録が開始されるか否かが判断されるとともに、コンテンツデータの記録が開始されると判断されるまでこの判断が繰り返される。コンテンツデータの記録が開始されると判断された場合には、制御部１０により、ステップＳ２において、図２に示す予約画面２２ａにおいて「高い」ボタン２２ｃがユーザに選択された状態でＯＫボタン２２ｅが選択されたか否かが判断されることによって、コンテンツデータが削除する可能性が高いデータであるとユーザに指定されたか否かが判断される。コンテンツデータが削除する可能性が高いデータであるとユーザに指定されたと判断された場合には、ステップＳ５に進む。
【００３７】
また、コンテンツデータが削除する可能性が高いデータであるとユーザに指定されていないと判断された場合には、制御部１０により、ステップＳ３において、図３に示す予約画面２２ｂにおいて、コンテンツデータが毎週同一時間帯に放送される番組のコンテンツデータであるか否かが判断される。コンテンツデータが毎週同一時間帯に放送される番組のコンテンツデータであると判断された場合には、ステップＳ５に進む。
【００３８】
また、コンテンツデータが削除する可能性が高いデータであるとユーザに指定されておらず、かつ、コンテンツデータが毎週同一時間帯に放送される番組のコンテンツデータでないと判断された場合には、制御部１０により、ステップＳ４において、音量の違いや画像の大きさなどに基づいて、コンテンツデータが広告コンテンツデータであるか否かが判断される。コンテンツデータが広告コンテンツデータでないと判断された場合には、ステップＳ８に進む。
【００３９】
そして、ステップＳ２においてコンテンツデータが削除する可能性が高いデータであるとユーザに指定された場合、ステップＳ３においてコンテンツデータが毎週同一時間帯に放送される番組のコンテンツデータであると判断された場合、または、ステップＳ４においてコンテンツデータが広告コンテンツデータであると判断された場合には、制御部１０により、ステップＳ５において、コンテンツデータは削除される可能性の高いデータであると記録前に予め判別される。そして、コンテンツデータがプラッタ１７ａの内周領域２１７ａ（図４参照）の外側から順に記録される。この際、コンテンツデータが複数の断片化された領域に分散している場合には、複数の断片化された領域の各々に分散して記録される。
【００４０】
その後、制御部１０により、ステップＳ６において、内周領域２１７ａの全てがコンテンツデータなどによって記録された（埋められた）ことにより、内周領域２１７ａに記録できなくなったか否かが判断される。内周領域２１７ａが埋められていないと判断された場合には、ステップＳ１１に進む。一方、内周領域２１７ａが埋められたと判断された場合には、制御部１０により、ステップＳ７において、コンテンツデータのうち、内周領域２１７ａに記録できない部分がプラッタ１７ａの外周領域３１７ａ（図４参照）に記録される。これにより、コンテンツデータの全てを内周領域２１７ａに記録できない場合であっても、記録できない部分のコンテンツデータが自動的に外周領域３１７ａに記録されることによって、コンテンツデータが記録されなくなるのを防止することが可能である。そして、ステップＳ１１に進む。
【００４１】
一方、ステップＳ４においてコンテンツデータが広告コンテンツデータでないと判断された場合には、制御部１０により、ステップＳ８において、コンテンツデータは削除される可能性の低いデータであると記録前に予め判別される。そして、コンテンツデータがプラッタ１７ａの外周領域３１７ａの外側から順に記録される。この際、コンテンツデータが記録される部分が複数の断片化された領域に分散している場合には、複数の断片化された領域の各々に分散して記録される。しかしながら、外周領域３１７ａではコンテンツデータの削除が行われる可能性が低いので、外周領域３１７ａに断片化された領域が形成されることが抑制される。これにより、コンテンツデータが断片化された領域に分散して記録されることが抑制される。
【００４２】
その後、制御部１０により、ステップＳ９において、外周領域３１７ａの全てがコンテンツデータなどによって埋められたことにより、外周領域３１７ａに記録できなくなったか否かが判断される。外周領域３１７ａが埋められていないと判断された場合には、ステップＳ１１に進む。一方、外周領域３１７ａが埋められたと判断された場合には、制御部１０により、ステップＳ１０において、コンテンツデータのうち、外周領域３１７ａに記録できない部分が内周領域２１７ａに記録される。これにより、コンテンツデータが記録されなくなるのを防止することが可能である。そして、ステップＳ１１に進む。
【００４３】
そして、制御部１０により、ステップＳ１１において、録画予約されたテレビジョン放送の番組の放送時間が終了したことにより、コンテンツデータの記録が終了したか否かが判断される。コンテンツデータの記録が終了していないと判断された場合には、ステップＳ２に戻る。また、コンテンツデータの記録が終了したと判断された場合には、制御部１０の制御処理が終了される。
【００４４】
本実施形態では、上記のように、制御部１０により、コンテンツデータが削除される可能性の高いデータであると記録前に予め判別された場合、コンテンツデータがプラッタ１７ａの内周領域２１７ａに記録される一方、コンテンツデータが削除される可能性の低いデータであると記録前に予め判別された場合、コンテンツデータがプラッタ１７ａの外周領域３１７ａに記録されるように構成することによって、コンテンツデータの記録および削除が繰り返された場合であっても、外周領域３１７ａではコンテンツデータが削除される可能性は低いので、外周領域３１７ａに断片化された領域が形成されることを抑制することができる。これにより、プラッタ１７ａの全体に断片化された領域が分散することを抑制することができるので、ヘッド１７ｃが断片化された領域から次の断片化された領域に移動（到達）する時間（シークタイム）を短くすることができる。この結果、コンテンツデータの記録および読出しの速度が遅くなることを抑制することができる。また、外周領域３１７ａでは断片化された領域が形成されるのが抑制されるので、外周領域３１７ａにおいて、削除される可能性の低いコンテンツデータの記録および読出しの速度が遅くなることをより抑制することができる。
【００４５】
また、本実施形態では、上記のように、制御部１０により、コンテンツデータが削除される可能性の高いデータであるか、または、削除される可能性の低いデータであるかが記録前に予め判別されることによって、削除される可能性の高いコンテンツデータおよび削除される可能性の低いコンテンツデータを、それぞれ、内周領域２１７ａおよび外周領域３１７ａに予め区別して記録することができる。これにより、コンテンツデータの記録後にコンテンツデータを区別して新たに内周領域２１７ａまたは外周領域３１７ａに記録し直す場合と異なり、新たにコンテンツデータを記録し直す必要がないので、制御部１０の処理を減少させることができる。
【００４６】
また、本実施形態では、上記のように、制御部１０により、コンテンツデータごとに削除される可能性の高いデータであるか、または、削除される可能性の低いデータであるかが判別されて、削除される可能性の高いコンテンツデータがプラッタ１７ａの内周領域２１７ａに記録される一方、削除される可能性の低いコンテンツデータをプラッタ１７ａの外周領域３１７ａに記録されるようにヘッド１７ｃを制御することによって、１つのコンテンツデータを記録および読出しを行う際に、ヘッド１７ｃを内周領域２１７ａと外周領域３１７ａとに行き来させる必要がない。これにより、ヘッド１７ｃが断片化された領域から次の断片化された領域に移動する時間を短くすることができるので、コンテンツデータの記録および読出しの速度を向上させることができる。
【００４７】
また、本実施形態では、上記のように、外周領域３１７ａを、内周領域２１７ａよりもヘッド１７ｃの初期位置に近い位置に設けることによって、ヘッド１７ｃを記録時の初期位置から外周領域３１７ａに迅速に到達させることができるので、外周領域３１７ａにおいて、削除される可能性の低いコンテンツデータの記録および読出しの速度を向上させることができる。
【００４８】
また、本実施形態では、上記のように、内周領域２１７ａと外周領域３１７ａとを、削除される可能性の高いコンテンツデータの総容量と削除される可能性の低いコンテンツデータの総容量との比率に対応するように、記録容量の比率に基づいて分割することによって、内周領域２１７ａの記録容量の不足に起因して削除される可能性の高いコンテンツデータを内周領域２１７ａに記録することができなくなることを抑制することができる。また、外周領域３１７ａの記録容量の不足に起因して削除される可能性の低いコンテンツデータを外周領域３１７ａに記録することができなくなることを抑制することができる。
【００４９】
また、本実施形態では、上記のように、制御部１０により、広告コンテンツデータが削除される可能性の高いデータであると自動的に判断されることによって、ユーザが判別作業を行う必要がない。これにより、ユーザの操作負担を軽減することができる。
【００５０】
また、本実施形態では、上記のように、制御部１０により、先週のコンテンツデータが削除されて今週のコンテンツデータが新たに記録されるような一定期間ごとに更新される予約録画モードに設定される、毎週同一時間帯に放送される番組のコンテンツデータが、削除される可能性の高いデータであると自動的に判断されることによって、ユーザが判別作業を行う必要がない。これによっても、ユーザの操作負担を軽減することができる。
【００５１】
また、本実施形態では、上記のように、制御部１０により、コンテンツデータが削除する可能性が高いデータであるとユーザに指定された場合、コンテンツデータが削除される可能性の高いデータであると記録前に予め判別されて内周領域２１７ａに記録されるとともに、コンテンツデータが削除する可能性が低いデータであるとユーザに指定された場合、コンテンツデータが削除される可能性の低いデータであると記録前に予め判別されて外周領域３１７ａに記録されることによって、ユーザの判別結果に合わせて、削除される可能性の高いと予め指定されたコンテンツデータを内周領域２１７ａに記録し、削除される可能性の低いと予め指定されたコンテンツデータを外周領域３１７ａに記録することができるので、ユーザにより削除される可能性が低いと判断されたコンテンツデータが記録された外周領域３１７ａに断片化された領域が形成されることをより抑制することができる。これにより、ユーザにより削除される可能性が低いと判断されたコンテンツデータが記録された外周領域３１７ａにおいて、コンテンツデータの記録および読出しの速度をより向上させることができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、ＨＤＤ１７のプラッタ１７ａを内周領域２１７ａおよび外周領域３１７ａに分割して、それぞれに、削除される可能性の高いコンテンツデータおよび削除される可能性の低いコンテンツデータを記録した例を示したが、本発明はこれに限られない。本発明では、光学ディスクを内周領域および外周領域に分割し、内周領域に削除される可能性の高いコンテンツデータまたは削除される可能性の低いコンテンツデータのいずれか一方のコンテンツデータを記録するとともに、外周領域に他方のコンテンツデータを記録してもよい。この際、光学ディスクでは、光学ディスクの最内周から外側に向かって記録、消去および読出しが行われるので、内周領域に削除される可能性の低いデータを記録するとともに、外周領域に削除される可能性の高いコンテンツデータを記録するように構成することが好ましい。これにより、削除される可能性の低いコンテンツデータの記録および読出しの速度を向上させることが可能である。また、ＨＤＤおよび光学ディスクの代わりに、フラッシュメモリなどの記録可能な装置を用いてもよい。
【００５４】
また、上記実施形態では、内周領域２１７ａおよび外周領域３１７ａに、それぞれ、削除される可能性の高いデータおよび削除される可能性の低いデータを記録した例を示したが、本発明はこれに限られない。本発明では、上記実施形態とは逆に、内周領域および外周領域に、それぞれ、削除される可能性の低いデータおよび削除される可能性の高いデータを記録してもよい。このように構成した場合であっても、内周領域に断片化された領域が形成されることを抑制することが可能であるので、コンテンツデータの記録および読出しの速度が遅くなることを抑制することが可能である。
【００５５】
また、上記実施形態では、内周領域２１７ａと外周領域３１７ａとを、略同一の記録容量（記録容量の比率＝１：１）になるように分割した例を示したが、本発明はこれに限られない。本発明では、内周領域と外周領域との比率は、１：１以外の比率でもよい。また、内周領域と外周領域とを分割する際の記録容量の比率をユーザが設定可能なように構成してもよい。これにより、各々のユーザの使用状況に合うように、内周領域と外周領域との記録容量の比率を異ならせることが可能である。
【００５６】
また、上記実施形態では、テレビジョン放送のコンテンツデータを記録する例を示したが、本発明はこれに限られない。たとえば、インターネット配信されるコンテンツデータを記録してもよい。
【００５７】
また、上記実施形態では、制御部１０により、コンテンツデータが削除する可能性が高いデータであるとユーザに指定された場合、コンテンツデータが毎週同一時間帯に放送される番組のコンテンツデータである場合、または、コンテンツデータが広告コンテンツデータである場合の３つの場合に、コンテンツデータが削除される可能性の高いデータであると記録前に予め判別した例を示したが、本発明はこれに限られない。たとえば、ニュース番組のコンテンツデータを削除される可能性の高いデータであると記録前に予め判別してもよい。つまり、上記３つの場合以外の条件に基づいて、コンテンツデータが削除される可能性の高いデータであると記録前に予め判別してもよい。また、上記３つの条件のうちのいずれか１つまたは２つを、コンテンツデータが削除される可能性の高いデータであると記録前に予め判別するための条件としてもよい。さらに、コンテンツデータが削除される可能性の高いデータであると記録前に予め判別するための条件を、ユーザに設定させてもよい。
【００５８】
また、上記実施形態では、記録再生装置１とテレビジョン装置２とを各々別に設けた例を示したが、本発明はこれに限られない。本発明では、コンテンツデータを記録することが可能なＨＤＤを一体的に備えるテレビジョン装置に本発明の記録再生装置を適用してもよい。
【００５９】
また、上記実施形態では、内周領域２１７ａまたは外周領域３１７ａの全てがコンテンツデータなどによって埋められたことに起因してコンテンツデータの全てが内周領域２１７ａまたは外周領域３１７ａに記録できなくなった場合に、コンテンツデータのうち、内周領域２１７ａまたは外周領域３１７ａに記録できなかった部分が外周領域３１７ａまたは内周領域２１７ａに記録される例を示したが、本発明はこれに限られない。本発明では、コンテンツデータの全てが内周領域または外周領域に記録できない場合には、警告を表示するとともに、コンテンツデータの記録を中止するように構成してもよい。これにより、外周領域に断片化された領域が形成されることをさらに抑制することが可能である。
【００６０】
また、上記実施形態では、説明の便宜上、本発明の制御部の処理を制御処理フローに沿って順番に処理を行うフロー駆動型のフローチャートを用いて説明したが、本発明はこれに限られない。本発明では、制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００６１】
１  記録再生装置
１０  制御部
１７ａ  プラッタ（記録媒体）
１７ｃ  ヘッド（記録部）
２１７ａ  内周領域（第１記録領域）
３１７ａ  外周領域（第２記録領域）
【図１】
2013242943.tif 000003
【図２】
2013242943.tif 000004
【図３】
2013242943.tif 000005
【図４】
2013242943.tif 000006
【図５】
2013242943.tif 000007